(57)【要約】【課題】消費者が、ＩＣタグの無効化を意図しなくても、包装パッケージの開封時にＩＣタグを無効化し、ＩＣタグ内のデータ読み取りを不可能にすることが可能なＩＣタグ付き包装パッケージを提供する。【解決手段】ミシン目等の開封手段１１を持つパッケージ１上に、ＩＣタグ切断用ミシン目１５を設けたＩＣタグ１３を、両ミシン目が重なるように装着する。パッケージ１を開封するのと同時にＩＣタグ１３がＩＣタグ切断用ミシン目１５に沿って切断されることにより、ＩＣタグ１３内のアンテナパターン２１が切断され、ＩＣタグ１３内の情報のリード/ライトが不可能になり、ＩＣタグ１３を無効化する。ＩＣタグ切断用ミシン目１５は、複数のＩＣタグを含む多層シートから個々のＩＣタグを切り分けるハーフカット時に、腐食刃により形成される。ミシン目１５の深さと形状は、ＩＣタグを形成するインレット３５のアンテナ層を損傷しないように設計される。【選択図】図１
2008143589.tif 000002
【特許請求の範囲】
【請求項１】
ＩＣタグ付きの包装パッケージであって、
前記包装パッケージは、パッケージの開封を可能にする開封手段を有し、
前記ＩＣタグは、ＩＣタグ内のアンテナパターンの少なくとも一部を分断することによりＩＣタグ内のデータの読み取りを不能にする無効化手段を有し、
前記無効化手段は、アンテナパターンを分断する分断線を、前記開封手段の少なくとも一部分と重なるように設け、前記包装パッケージの開封によりＩＣタグを無効化することを特徴とするＩＣタグ付き包装パッケージ。
【請求項２】
前記分断線は、カット部と接続部からなるミシン目あるいはカット部のみからなる切れ目であり、前記カット部は、前記ＩＣタグ内のアンテナパターン層に達しない深さでアンテナパターンを損傷しないように設けられることを特徴とする請求項１記載のＩＣタグ付き包装パッケージ。
【請求項３】
前記分断線は、カット部と接続部からなるミシン目であり、カット部の長さと、接続部の長さを、アンテナパターンを形成するコイル線を完全に切断しないような長さとすることを特徴とする請求項１記載のＩＣタグ付き包装パッケージ。
【請求項４】
前記分断線は、カット部と接続部からなるミシン目であり、接続部を、アンテナパターンを形成するコイル線を跨ぐように形成し、カット部をコイル線間に形成することを特徴とする請求項１記載のＩＣタグ付き包装パッケージ。
【請求項５】
前記開封手段は、包装パッケージに設けた１本または２本のミシン目、または、紐あるいはテープであり、
前記無効化手段は、前記分断線を、前記包装パッケージの開封手段に応じて、１本または２本設けることを特徴とする請求項１記載のＩＣタグ付き包装パッケージ。
【発明の詳細な説明】
【技術分野】
【０００１】
本発明は、ＩＣタグ付き包装パッケージに関し、詳しくは、包装パッケージの開封時にＩＣタグを無効化し、ＩＣタグ内のデータ読み取りを不可能にすることが可能なＩＣタグ付き包装パッケージに関する。
【背景技術】
【０００２】
無線技術の進歩に伴い、無線技術を用いた識別方法であるＲＦＩＤ（Radio
Frequency Identification）を利用した商品管理システムが開発され、使用され始めている。ＩＣタグは、外部のＩＣタグ・ライタとの無線通信により商品等に関する情報が記録され、外部のＩＣタグ・リーダとの無線通信により、ＩＣタグ内に記録されている情報が読み出される。ＩＣタグに記録される情報により、商品の品質管理や在庫管理、販売管理、物流管理等が行うことが可能になる。
【０００３】
ＩＣタグは、基材と、アンテナ回路およびＩＣチップを含むインレット、インレットを保護する封止材等の層構造を成しており、書き込み/読み取りされる情報は、ＩＣチップのメモリーに蓄積される。
【０００４】
ＩＣタグ内に記録されている情報は、通常、上記の品質管理、在庫管理、販売管理、物流管理等の正規の意図した目的で読み取られるが、ＩＣタグ・リーダがあればＩＣタグ内の情報を読み取ることは容易であり、第三者が故意に読み取り、読み取った情報を悪用することもありえる。これは、個人情報保護、プライバシー保護の観点から大きな問題である。
【０００５】
これに対して、総務省と経済産業省は、共同で、２００４年６月に「電子タグに関するプライバシー保護ガイドライン」を策定しており、商品が消費者に渡った後もＩＣタグが商品に装着されている場合に、ＩＣタグおよび商品を取り扱う事業者が対応することが望ましい規則を定めたものである。
【０００６】
このガイドラインにもあるように、ＩＣタグに記録された情報のみでは特定の個人を識別できない場合においても、コンピュータ等に保存された個人情報データベース等と、ＩＣタグに記録された情報を連係して用いることにより、特定の個人を識別できる場合があり、このような場合に、個人情報保護法の取り扱いを受けることになり、ＩＣタグの取り扱いは非常に重要である。
これは、医療、食品、医薬等の分野では、個人の状態や嗜好等を示す個人情報となり得るため、必要に応じて、ＩＣタグの情報の読み出しを不能にして、ＩＣタグを無効化する必要がある。
【０００７】
そこで、ＩＣタグを装着した商品の販売が完了し、上記の品質管理、在庫管理、販売管理、流通管理等の初期の目的を達した後に、ＩＣタグの商品からの剥離や、ＩＣタグの機能破壊、ＩＣタグの通信機能の無効化が検討されている（特許文献１、特許文献２、特許文献３）。
【特許文献１】特開２００１−１４４４２号公報
【特許文献２】実用新案登録第３１０５２８６号公報
【特許文献３】特開２００２−１０２３１０
【発明の開示】
【発明が解決しようとする課題】
【０００８】
しかしながら、ＩＣタグの商品からの剥離やＩＣタグの機能破壊は、ＩＣタグの通信機能の無効化は、消費者、あるいは、販売する側が販売時に、ＩＣタグの無効化を意図して行わねばならず、行わなかった場合には、ＩＣタグのプライバシー保護の問題は解消できないという問題がある。
【０００９】
また、ＩＣタグの通信機能の無効化では、専用装置が必要になるという問題もある。
【００１０】
本発明は、このような問題に鑑みてなされたもので、その目的とするところは消費者が、ＩＣタグの無効化を意識しなくても、包装パッケージの開封時にＩＣタグを無効化し、ＩＣタグ内のデータ読み取りを不可能にすることが可能なＩＣタグ付き包装パッケージを提供することである。
【課題を解決するための手段】
【００１１】
前述した課題を解決するための本発明は、ＩＣタグ付きの包装パッケージであって、前記包装パッケージは、パッケージの開封を可能にする開封手段を有し、前記ＩＣタグは、ＩＣタグ内のアンテナパターンの少なくとも一部を分断することによりＩＣタグ内のデータの読み取りを不能にする無効化手段を有し、前記無効化手段は、アンテナパターンを分断する分断線を、前記開封手段の少なくとも一部分と重なるように設け、前記包装パッケージの開封によりＩＣタグを無効化することを特徴とするＩＣタグ付き包装パッケージである。
【００１２】
開封手段により、使用者が包装パッケージを開封すると、無効化手段により、ＩＣタグに設けられた分断線が分断され、アンテナパターンが分断されることにより、ＩＣタグが無効化される。
【００１３】
ここで、前記分断線は、カット部と接続部からなるミシン目あるいはカット部のみからなる切れ目であり、前記カット部は、前記ＩＣタグ内のアンテナパターン層に達しない深さでアンテナパターンを損傷しないように設けられることが望ましい。
また、カット部の長さと、接続部の長さを、アンテナパターンを形成するコイル線を完全に切断しないような長さとするようにしてもよい。
また、接続部を、アンテナパターンを形成するコイル線を跨ぐように形成し、カット部をコイル線間に形成するようにしてもよい。
【００１４】
一方、前記開封手段は、包装パッケージに設けた１本または２本のミシン目、または、紐あるいはテープであり、前記無効化手段は、前記分断線を、前記包装パッケージの開封手段に応じて、１本または２本設けることが望ましい。
【発明の効果】
【００１５】
本発明によれば、消費者が、ＩＣタグの無効化を意識しなくても、包装パッケージの開封時にＩＣタグを無効化し、ＩＣタグ内のデータ読み取りを不可能にすることが可能なＩＣタグ付き包装パッケージを提供することが可能になる。
本発明によれば、ＩＣタグの無効化を容易に行うことが可能で、その工程を短縮することが可能である。また、個人情報の保護が可能になる。
【発明を実施するための最良の形態】
【００１６】
以下、図面に基づいて本発明の好適な実施形態について詳細に説明する。
図１は、本発明のＩＣタグ付きパッケージ１の例を示す外観図である。
【００１７】
ＩＣタグ付きパッケージ１は、図１（ａ）に示すように、例えば硬い材質の紙等よりなるパッケージである。図１では、パッケージの形状は直方体であるが、形状はこれに限るものではなく、例えば、円筒形等、他の形状でもよい。
ＩＣタグ付きパッケージ１の開け口には、パッケージ開封用のミシン目１１が形成されている。図１（ｂ）に示すように、例えば、開封開始部１７からミシン目に沿ってパッケージ上部方向に引き上げることにより、パッケージが開封できる。
【００１８】
ＩＣタグ１３は、パッケージ開封用ミシン目１１の一部を覆うように装着される。後述するように、ＩＣタグ１３にもＩＣタグ切断用ミシン目１５が設けられており、図１（ｂ）に示すように、パッケージをパッケージ開封用ミシン目１１に沿って開封することにより、ＩＣタグ１３もＩＣタグ切断用ミシン目１５に沿って切断され、ＩＣタグ１３を無効化し、ＩＣタグ１３に記録されている情報の読み出しを不可能にすることができる。
ここで、ＩＣタグ切断用ミシン目１５とパッケージ開封用ミシン目１１の位置が重なるようにすることで、パッケージの開封およびＩＣタグ１３の切断を容易にすることが可能である。
【００１９】
次に、ＩＣタグ１３に形成するＩＣタグ切断用ミシン目について説明する。図２は、ＩＣタグ１３の例を示す図である。図２（ａ）は平面図、図２（ｂ）はＡ−Ａ方向から見た断面図である。図２（ａ）において、通常、ＩＣタグ上部はプラスチックフィルムや紙材等で覆われ、アンテナパターン２１やＩＣチップ２５等は見えないが、理解を容易にするため、アンテナパターン２１やＩＣチップ２５を透視した状態のＩＣタグを示している。
【００２０】
ここで、ＩＣタグ１３の構造について説明する。
図２（ｂ）および図２（ｃ）に示すように、ＩＣタグは多層構造を成す。ＩＣタグの製造工程では、まず、両面に粘着層１（４１）および粘着層２（３７）を設けたベースフィルム３９の片側の粘着層２（３７）に、アンテナパターン２１とＩＣチップ２５等が形成されたインレット３５を貼り付ける。
【００２１】
ここで、ベースフィルム３９は、ＰＥＴ（ポリエチレンテレフタレート）、ＰＥＴ−Ｇ（テレフタル酸−シクロヘキサンジメタノール−エチレングリコール共重合体）。ポリ塩化ビニル、塩化ビニル−酢酸ビニル共重合体、ポリカーボネイト、ポリアミド、ポリイミド、セルロースジアセテナート、セルローストリアセテート、ポリエチレン系、ＡＢＳ、ポリアクリル酸エステル、ポリプロピレン、ポリエチレン、ポリウレタン等である。
【００２２】
一方、インレット３５は、インレット用のベースフィルムにアンテナパターン２１および導通路２７、接点２３ａおよび２３ｂを印刷またはフォトエッチングし、ＩＣチップ２５を接点２３ａおよび２３ｂの両端部に接合したものである。
アンテナパターン２１は、図１（ａ）に示すように、コイル状である。コイルの一端（内側）は接点２３ｂに接続され、他端（外側）は導通路２７を介して接点２３ａに接続されている。導通路２７は、インレット用ベースフィルムのアンテナパターン２１を印刷した面の背面に設けられる。
また、ＩＣチップ２５は、無線送受信部と制御部、および、情報を記録するための記憶部を備える。
【００２３】
粘着層１（４１）および粘着層２（３７）は、ベースフィルム３９の各面に両面テープを貼り付けることにより形成される。粘着層２（３７）の両面テープの離型紙をはがした面にインレット３５を貼り付ける。
次に、粘着層２（４１）の両面テープの離型紙をはがし、離型紙４３を貼り付ける。この離型紙４３は、ＩＣタグ１３を商品に装着するときに剥がして粘着層１（４１）を露出させ、商品に貼り付けるためのものである。
【００２４】
次に、インレット３５の上部に、粘着層３（３３）付きの上紙３１を貼る。上紙３１は、インレット３５を保護する役割を持つ。
【００２５】
以上がＩＣタグ１３の構造である。
製造時には、ベースフィルム３９、インレット３５、上紙３１は、例えば７ｃｍ幅のシートであり、ロール状に巻かれている。これらの材料を、上述の順に重ねて貼り合わせることにより、複数のＩＣタグ１３を含むロール状の多層シートが製造される。
個々のＩＣタグに切り分けるため、複数のＩＣタグを含む多層シートをマグネットシリンダー等により、上紙３１から粘着層１（４１）までハーフカットする。ハーフカット後、ＩＣタグ１３以外の部分を除去することにより、複数のＩＣタグ１３が離型紙上に貼りついたロール状のシートが製造される。
【００２６】
上記の製造工程において、ＩＣタグ切断用ミシン目１５は、マグネットシリンダーの腐食刃を用いたハーフカット時に同時にＩＣタグ１３に形成される。
【００２７】
図２（ａ）に示すように、アンテナパターン部２１に切断部２９（ＩＣタグ切断用ミシン目１５）を設ける。この切断部２９でＩＣタグ１３が切断されることにより、アンテナパターン２１が切断され、ＩＣタグ１３のＩＣチップ２５に格納されている情報の読み出しができなくなり、ＩＣタグ１３の無効化が可能になる。
【００２８】
切断部２９（ＩＣタグ切断用ミシン目１５）は、図２（ｂ）に示すように、インレット３５の層に達しない上紙３１および粘着層３（３３）の深さで切れ目を入れることにより設けられる。
この場合、インレット３５の層には達しないので、切断部２９は破線状のミシン目であってもよいし、直線状の切れ目であってもよい。
【００２９】
図１（ａ）に示したパッケージ開封用ミシン目１１とこの切断部２９（ＩＣタグ切断用ミシン目１５）が重なるように、ＩＣタグ１３をパッケージ上に貼り付けことにより、パッケージ開封時に、ＩＣタグ１３が切断部２９に沿って切断され、無効化される。
【００３０】
切断部２９（ＩＣタグ切断用ミシン目１５）のもう一つの形成方法は、図２（ｃ）に示すように、インレット３５の層よりも深い層まで切り込みを入れる方法である。深さは、粘着層１（４１）に達するようにしてもよいし、ベースフィルム３９あるいは粘着層２（３７）、インレット３５に達する深さでもよい。
前述の図２（ｂ）よりも深く切断部２９を形成するので、ＩＣタグ１３の切断は図２（ｂ）の場合よりも容易である。
【００３１】
しかし、図２（ｃ）のような深い切断部２９（ＩＣタグ切断用ミシン目１５）を設ける場合には、インレット３５の層を切ることになるので、ミシン目１５の形成方法に注意を要する。
【００３２】
図３は、深い切断部２９（ＩＣタグ切断用ミシン目１５）を設ける場合のミシン目の説明図である。例えば、図３（ａ）および図３（ｂ）の２通りの方法が考えられる。両図はアンテナパターン２１の一部を拡大した説明図である。
【００３３】
図３（ａ）は、ミシン目１５のカット部（切れ目）を、アンテナパターン２１を損傷しないように形成するものである。アンテナパターン間にミシン目のカット部を設け、アンテナ部分はミシン目の接続部を形成するようにする。
【００３４】
一方、図３（ｂ）は、アンテナパターン２１の一部をミシン目１５のカット部とする方法である。ミシン目１５のカット部を短くし、接続部を長くすることにより、アンテナパターン２１の各コイルのすべてを切断することがないようにミシン目が形成される。
この場合、アンテナパターン２１のコイルに切れ目が入るが、すべてが切断されることはないので、アンテナパターン２１はアンテナとしての機能を十分果たすことができる。
【００３５】
図４は、切断部２９（ＩＣタグ切断用ミシン目１５）の形成手法の例を示す図である。
【００３６】
前述したように、ＩＣタグ１３の製造工程において、まずロール状の多層シートが製造される。そして、個々のＩＣタグ１３に切り分けるハーフカット処理と同時に、切断部２９（ＩＣタグ切断用ミシン目１５）を形成することが可能である。
【００３７】
図４（ｂ）は、図２（ｂ）の浅い切断部２９を腐食刃５１によって設ける場合の説明図である。腐食刃５１は、その断面を示している。
ＩＣタグ１３を複数含む多層シートは、上部から上紙３１、粘着層３（３３）、インレット３５、粘着層２（３７）、ベースフィルム３９、粘着層１（４１）、離型紙４３の多層構造である。
この多層シートを腐食刃５１でハーフカットする。腐食刃５１の両側の刃（ＩＣタグ切り分け用刃５５）は、ＩＣタグ１３の切り分けのための切れ目を形成するための刃であり、中ほどの刃（ミシン目用刃５３）が、ＩＣタグ切断用ミシン目１５（切断部２９）を形成するための刃である。
ミシン目用刃５３は、刃の深さがインレット３５の層に達しない深さに設計されている。
【００３８】
図２（ｂ）の腐食刃５１の平面図を図５に示す。周囲の刃がＩＣタグ切り分け用刃５５を形成し、その内部にミシン目用刃５３が設けられる。図２（ｂ）の浅い切断部２９を形成する場合には、同図のようにカット部と接続部からなる破線状に刃を形成してもよいし、カット部のみの直線状の刃を形成してもよい。
【００３９】
図４（ｃ）は、図２（ｃ）の深い切断部２９（ミシン目１５）を腐食刃５１によって設ける場合の説明図である。ＩＣタグ切り分け用刃５５の刃の深さは図４（ｂ）の場合と同様であるが、ミシン目用刃５３の刃の深さが図４（ｂ）の場合よりも深く、インレット３５の層や粘着層２（３７）、ベースフィルム３９、粘着層１（４１）に達している。
この場合の腐食刃５１の平面図は示していないが、ＩＣタグ切り分け用刃５５の形状は図５の場合と同様でよい。ミシン目用刃５３は、インレット３５のアンテナパターン２１のコイルを破損しないように、例えば、図３（ａ）または（ｂ）に示したような接続部およびカット部を有する刃を形成する。
【００４０】
以上のような方法でＩＣタグ切断用ミシン目１５を形成したＩＣタグ１３を、パッケージ開封用ミシン目１１と重なるように装着することにより、ＩＣタグ付きパッケージ１を開封することにより、ＩＣタグ１３のアンテナパターン２１が切断され、ＩＣカード・リーダおよびライタとの通信が不可能になり、ＩＣタグ１３を無効化することが可能になる。
【００４１】
図６および図７は、図１のＩＣタグ付きパッケージ１とは開封方法の異なるＩＣタグ付きパッケージ例の外観図である。
【００４２】
図６（ａ）は、パッケージに２本のミシン目からなるパッケージ開封用ミシン目１１が形成されている場合の例である。使用者は開封開始部１７から２本ミシン目に沿ってパッケージを開ける。
この場合、ＩＣタグ１３に設けるＩＣタグ切断用ミシン目１５を２本にするとよい。それぞれ２本のパッケージ開封用ミシン目１１とＩＣタグ切断用ミシン目が重なるようにＩＣタグ１３を装着することにより、パッケージ１の開封時にＩＣタグ１３のアンテナパターン２１が分断され、ＩＣタグを無効化できる。
【００４３】
図６（ｂ）は、タバコや音楽ＣＤ等のパッケージ例である。これらの商品では、箱の上にプラスチックフィルム等によるキャラメル包装が成されており、フィルムの端からテープや紐を引くことにより開封することができるようになっている。
テープや紐の端部が開封開始部１７であり、パッケージ開封用ミシン目１１の部分にテープや紐が設けられている。
このような場合、ＩＣタグ１３にはテープや紐の幅で２本のＩＣタグ切断用ミシン目１５を設けることにより、テープや紐を引いてパッケージ１を開封する際にＩＣタグ１３をＩＣタグ切断用ミシン目１５に沿って分断することができ、ＩＣタグ１３を無効化できる。
【００４４】
図７は、袋状のパッケージ例である。袋に開封をしやすくするための切込み５７が入っている場合、この切込み５７の延長上にＩＣタグ切断用ミシン目１５がくるようにＩＣタグ１３を装着すればよい。袋状のパッケージを切込み５７から破るように開封する際に、ＩＣタグ１３も分断され、ＩＣタグ１３を無効化できる。
【００４５】
以上のように、開封手段を持つさまざまな形状のパッケージ上に、ミシン目等の切れ目を入れたＩＣタグ１３を装着することにより、パッケージ開封時に同時にＩＣタグ１３のアンテナパターン２１が切断され、ＩＣタグを無効化することが可能になる。
【００４６】
尚、本発明は、前述した実施の形態に限定されるものではなく、種々の改変が可能であり、それらも、本発明の技術範囲に含まれる。
【図面の簡単な説明】
【００４７】
【図１】本実施の形態に係るＩＣタグ付きパッケージを示す外観図
【図２】ＩＣタグの説明図
【図３】アンテナパターン２１を損傷しないミシン目の形成方法を説明する図
【図４】ＩＣタグ切断用ミシン目１５の形成方法を説明する図
【図５】腐食刃の平面図
【図６】ＩＣタグ付きパッケージ例を示す外観図
【図７】ＩＣタグ付きパッケージ例を示す外観図
【符号の説明】
【００４８】
１………ＩＣタグ付きパッケージ
１１………パッケージ開封用ミシン目
１３………ＩＣタグ
１５………ＩＣタグ切断用ミシン目
２１………アンテナパターン
２５………ＩＣチップ
３１………上紙
３５………インレット
３９………ベースフィルム
３３、３７、４１………粘着層
４３………離型紙
５１………腐食刃
【図１】
2008143589.tif 000003
【図２】
2008143589.tif 000004
【図３】
2008143589.tif 000005
【図４】
2008143589.tif 000006
【図５】
2008143589.tif 000007
【図６】
2008143589.tif 000008
【図７】
2008143589.tif 000009